(57)【特許請求の範囲】
【請求項１】
支持金具を用いて不燃性の天井板が支持固定される軒裏天井の換気構造において、前記支持金具には、屋外から換気穴を通り天井裏に抜ける換気用通気路が設けられ、前記換気用通気路内には、換気穴の下端側から延伸し且つ対向した位置に略Ｌ状の突出片で形成された取付係止片が設けられ、前記取付係止片には、熱により燃焼することなく膨張して前記換気用通気路を塞ぐ熱膨張材が両面テープや接着剤を用いることなく挟持するように収納されていることを特徴とする軒裏天井の換気構造。
【請求項２】
取付係止片は、複数個所定の間隔ごとに形成された略Ｌ状の突出片または長尺に形成された略Ｌ状の突出片からなることを特徴とする請求項１記載の軒裏天井の換気構造。
【請求項３】
前記支持金具の他側面側には建物外壁に取付固定される垂直状の支持片が設けられ、該支持片に複数の屈曲部を設けたことを特徴とする請求項１又は２記載の軒裏天井の換気構造。
【発明の詳細な説明】
【０００１】
【発明の属する技術分野】
本発明は、建物における屋根の軒先端と建物外壁との間やバルコニーの裏の空所部分に軒天板を取り付ける軒裏天井の換気構造に関するものである。
【０００２】
【従来技術】
従来、この種の軒裏天井の換気構造としては、例えば特開平６−７３８２８号に示すものが公知である。この換気構造に使用される支持金具は、天井板の端部を差し込めるように略断面コ字状の挿入凹部が設けられ、この支持金具の上下面には、軒裏空間部に通気可能なように多数のスリットを設けた換気穴が設けられて、換気穴及び換気用通気賂を通して屋外と軒裏空間部との通気が可能となっている。
【０００３】
また、上記支持金具には、換気穴近くに不燃性体積膨張材（以下、「熱膨張材」ともいう）を設け、火災時に膨張して換気用通気賂を塞ぐため、屋外から換気口を通して火炎や火の粉が侵入しないように構成している。
【０００４】
【発明が解決しようとする課題】
ところで、これら不燃性体積膨張材は、換気金具の内面の換気通路を塞ぐ位置に、従来は両面テープや接着剤を用いて貼り付け固定している。
【０００５】
しかし、これら不燃性体積膨張材を両面テープや接着剤を用いて固定する場合、この不燃性体積膨張材に両面テープまたは接着剤の処理を行い、その後支持金具内の取付位置に位置合わせをしながら固定するという作業をしなければならない。
【０００６】
これらの不燃性体積膨張材は、一般に支持金具の内面部分の奥まった位置に取り付けられているため、その貼り付けの際に位置がずれやすく、位置合わせに非常に手間のかかる作業であった。特に、不燃性体積膨張材が位置がずれた状態で貼り付けられた場合、火災時に所定の位置で発泡しないため、発泡しても換気穴部分を完全に塞ぐことができず、所望の防火性能を発揮しない可能性があった。また、体積膨張材に両面テープや接着剤を用いて処理するという作業は、工数がかかり手間とコストアップの原因にもなっていた。
【０００７】
一方、一般的に防火区画では体積膨張材などにより通気穴を塞ぐ必要があり、非防火区画では塞ぐ必要はないが、防火区画と非防火区画が混在する現場の場合、２つのタイプの換気金具を用意しなければならず、保管が煩わしく、両者を混同して誤って施工してしまう可能性もあった。
【０００８】
さらに、従来の支持金具では、換気穴が支持金具の下面についているため、この換気穴が下側から容易に見えてしまい見栄えが悪いことがあった。
【０００９】
本発明は、上記事情に鑑みてなされたもので、製造時の手間やコストを大幅に減少することができ、また、火災時の防火性能を安定させ、さらに見栄えのよい換気金具を用いた軒裏天井の換気構造を提供することを目的とする。
【００１０】
本発明の第１の発明は、支持金具を用いて不燃性の天井板が支持固定される軒裏天井の換気構造において、前記支持金具には、屋外から換気穴を通り天井裏に抜ける換気用通気路が設けられ、前記換気用通気路内には、取付係止片が設けられ、且つ前記取付係止片には、熱により燃焼することなく膨張して前記換気用通気路を塞ぐ熱膨張材が出し入れ自在に収納されていることを特徴とする。
【００１１】
第２の発明は、前記支持金具の片側面には、天井板を挿入する挿入凹部が設けられ、前記他側面には、換気穴が設けられ、且つ他側面側が、建物外壁に取付固定されていることを特徴とする。
【００１２】
第３の発明は、前記支持金具の他側面に設けられている取付係止片に収納される熱膨張材によって、前記他側面と前記他側面側の外壁との間に設けられる換気用通気路を塞ぐことを特徴とする。
【００１３】
【作用】
第１の発明によれば、支持金具には、換気用通気路内に設けた取付係止片に換気用通気路を塞ぐ熱膨張材が出し入れ自在に収納されているため、この熱膨張材の収納が簡便であり、作業工数や手間が省け、コストダウンも図れる。
【００１４】
第２の発明によれば、支持金具の片側面に天井板を挿入する挿入凹部が設けられ、他側面に換気穴が設けられ、また他側面側に外壁に取付固定される構造であるため、その構造が簡易であり、コストダウンが図れると共に、換気穴が他側面側に位置して下側から容易に見えないため見栄えが向上する。
【００１５】
第３の発明によれば、取付係止片は、支持金具の他側面に設けられ、この他側面と他側面側の外壁との間に設けられた換気用通気路を塞ぐことができるため、強固な構造にでき、コストダウンも図れると共に、見栄えが向上する。
【００１６】
【実施の形態】
本発明の実施形態を図面を参照して説明する。図１は、本発明に係る支持金具１の第１例を示す斜視図、図２は、同第１例の使用例を示す断面図、図３は、同第２例を示す斜視図、図４は、同第２例の使用例を示す断面図、図５は、同第３例を示す斜視図、図６は、同第３例の使用例を示す断面図である。
【００１７】
図１及び図２に示す第１例を説明する。支持金具１は、一枚の長尺な所定幅の金属板２を用いて不燃性の天井板を挿入できる挿入凹部３と、外気が通る換気用通気路４と、熱で膨張する熱膨張材を収納できる取付係止片５と、横列状に複数個の換気穴と取付穴とが設けられた支持片６とで構成されている。
【００１８】
上記挿入凹部３は、一枚の長尺な所定幅の金属板２の先端部に前方斜め上向きに張り出す上向き板２０と下方に前方斜め下向きに張り出す下向き板２１とで山形状に形成され、この金属板２の後端部に垂下する第１垂下片２２を介して前方に折り返して水平に延びる延出片２３が形成されて、この上・下向き板２０，２１と垂下片２２と延出片２３とで挿入凹部３が構成されている。
【００１９】
上記延出片２３に続く金属板２の後端部は、垂下する第２垂下片２４を介して逆に後方に折り返して水平に延び、且つ前記延出片２３より若干長目の水平片２５が形成され、さらにこの後端部に上方に垂直状に延びる垂直片２６，２７の中間に屈曲片２８を介して支持片６が形成されている。この支持片６には、横列状に複数個の換気穴６０，６０，…とこの上方に複数個の取付穴６１，６１，…とが穿ってある。
【００２０】
上記取付係止片５は、図示の例では第１垂直片２２の後側面に幅狭な略Ｌ状の突出片５０が複数個所定の間隔ごとに形成されているが、これに代えて長尺な略Ｌ状の突出片としてもよい。また、この第１垂直片２２と支持片６との間は、その換気穴６０，６０，…を通って通気で換気できる換気用通気路４が形成される。
【００２１】
上記熱膨張材９は、熱により燃焼することなく膨張して換気用通気路４を塞ぐことができる性能があればよい。例えば、膨張黒鉛系の防炎、防煙用のシール材があり、通過熱風温度が１５０〜１７０℃で約１０倍に膨張する膨張材が挙げられる。この他、バーミキュライトとセラミックファイバーのシール材や膨張黒鉛系とアルミナ三水和物のシール材、ゴム系のシール材などが挙げられ、換気用通気路４の形状等により発砲倍率も４〜３０倍程度のものを適宜利用できる。例えば、積水化学工業（株）の商品名フィブロック、住友スリーエム（株）の商品名ウルトラＧＳ、ニチアス（株）の商品名バーモフレックスなどを利用できる。
【００２２】
次に、上記支持金具１の使用方法を説明する。まず、取付係止片５に熱膨張材９を収納させ、天井板７の位置に合わせて支持金具１を建物外壁８の所定個所に支持片４の取付穴６１，６１，…にネジや鋲などの締結材６２によって固定させる。そして、支持金具１の挿入凹部２に天井板７の端部を挿入させることによって、軒裏天井の換気構造が構成できる。なお、上記熱膨張材９の取付けは、支持金具１に天井板７を取付けた後でもよいこと勿論である。
【００２３】
従って、上記熱膨張材９は、火災が発生すると、熱風が換気用通気路４を通って、熱膨張材９に当接すると熱膨張材９が膨張を開始し、この膨張した熱膨張材９ａが換気用通気路４を完全に封鎖できる。よって、屋外から換気穴を通して火炎や火の粉が侵入することを防止できる。
【００２４】
図３及び図４に示す第２例の支持金具１ａは、取付係止片５ａに長尺な略Ｌ状の突出片５１が形成され、また、後端部の垂直状の支持片６ａには、基端の垂直部６３と上端の垂直部６４との間に複数個の屈曲部６５ａ，６５ｂ，…がジグザグ状に形成してあり、その他の構成は、第１例の支持金具１と同様であるから、その構成の説明を省略する。
【００２５】
このような構成にすることにより、火災時等に膨張した熱膨張材９は、屈曲部６５ａによって押え付けられることになり、熱膨張材９の飛散を抑えることができて防火性能が向上する。
【００２６】
図５及び図６に示す第３例の支持金具１ｂは、支持片６の後側面に長尺な略Ｌ状の突出片５１からなる取付係止片５ａが形成され、これに熱膨張材９を収納すればよく、その他の構成は、第１例の支持金具１と同様であるから、その構成の説明を省略する。
【００２７】
上記構成にすると、熱膨張材９は支持金具１ｂの外周面に取付けられるため、支持金具１ｂと天井板７とを施工した後でも熱膨張材９を交換することができ、長期使用時のメンテナンス性が向上する。
【００２８】
【発明の効果】
本発明は、上記構成であるから次の効果がある。
▲１▼  熱膨張材は、その取付係止片に収納すればよく、接着剤や両面テープの貼り付けなどの作業をする必要が全くない。また、取付係止片への出し入れは自在であれば、その取付操作も簡便であるため、作業工数や手間を省くことができ、コストダウンも図ることができる。
▲２▼  熱膨張材の出し入れが自在で極めて簡易であり、作業現場でも熱膨張材の必要の有無に応じることができ、その対応が簡易である。また、防火区画と非防火区画が混在するような２種類の換気金具が必要な現場でも1種類だけ用意して、現場で対応できるため、その作業性が格段と向上する。
▲３▼  取付係止片に熱膨張材を収納するという作業だけで取り付け作業が終了するため、その位置決めが極めて簡便であるし、その位置ずれも少なく、所望の防火性能を常に安定して発揮することができる。
▲４▼  換気用通気路が支持金具の外壁側に設けられ、下面から容易に見えないため、見栄えが向上する。
【図面の簡単な説明】
【図１】  本発明に係る支持金具１の第１例を示す斜視図。
【図２】  同第１例の使用例を示す断面図。
【図３】  同第２例を示す斜視図。
【図４】  同第２例の使用例を示す断面図。
【図５】  同第３例を示す斜視図。
【図６】  同第３例の使用例を示す断面図。
【符号の説明】
１      支持金具
４      換気用通気路
５      取付係止片
７      天井板
９      熱膨張材
【図１】
0003995196.tif 000002
【図２】
0003995196.tif 000003
【図３】
0003995196.tif 000004
【図４】
0003995196.tif 000005
【図５】
0003995196.tif 000006
【図６】
0003995196.tif 000007